(57)【要約】【課題】ネットワークに接続された表示装置に遠隔操作で映像を表示する際、不適切な場所にいるユーザによる映像の表示を制限する。【解決手段】表示装置１００の制御部１１１は、予め登録された位置情報を記憶部１１３に記憶し、無線端末装置３０から送信された位置情報を受信し、受信した位置情報と記憶された位置情報とを比較し、比較結果に基づいて表示情報をスクリーン部１２０に表示させる。【選択図】図２
2015194698.tif 000002
【特許請求の範囲】
【請求項１】
予め登録された位置情報を記憶する記憶手段と、
端末装置から送信された位置情報を受信する受信手段と、
前記受信手段により受信した位置情報と、前記記憶手段に記憶された位置情報と、を比較する比較手段と、
前記比較手段による比較結果に基づいて表示情報を表示手段に表示させる制御手段と、
を備える表示装置。
【請求項２】
前記記憶手段は、前記表示手段の設置場所に対応する位置情報を予め登録された位置情報として記憶し、
前記比較手段は、前記受信手段により受信した位置情報と、前記記憶手段に記憶された位置情報と、を比較し、二つの位置情報が近接している場合は、当該二つの位置情報が関連性を示すと判定する請求項１に記載の表示装置。
【請求項３】
前記記憶手段は、前記表示手段の設置場所において端末装置から送信された位置情報を予め登録された位置情報として記憶する請求項２に記載の表示装置。
【請求項４】
前記制御手段は、前記比較手段により前記二つの位置情報が関連性を示すと判定された場合、前記受信手段により受信した位置情報を送信してきた端末装置から送信される前記表示情報を受信し、受信した前記表示情報を前記表示手段に表示させる請求項２又は３に記載の表示装置。
【請求項５】
ネットワークを介して接続される端末装置と表示装置とを備えた表示システムであって、
前記端末装置は、
当該端末装置の現在位置を示す位置情報を取得する取得手段を備え、
前記表示装置は、
予め登録された位置情報を記憶する記憶手段と、
前記端末装置から送信された位置情報を受信する受信手段と、
前記受信手段により受信した位置情報と、前記記憶手段に記憶された位置情報と、を比較する比較手段と、
前記比較手段による比較結果に基づいて表示情報を表示手段に表示させる制御手段と、
を備える表示システム。
【請求項６】
表示装置のコンピュータを、
端末装置から送信された位置情報を受信する受信手段、
前記受信手段により受信した位置情報と、予め登録された位置情報を記憶する記憶手段に記憶された位置情報と、を比較する比較手段、
前記比較手段による比較結果に基づいて表示情報を表示手段に表示させる制御手段、
として機能させるためのプログラム。
【発明の詳細な説明】
【技術分野】
【０００１】
本発明は、表示装置、表示システム及びプログラムに関する。
【背景技術】
【０００２】
従来、ネットワークに接続された表示装置に、情報処理装置からネットワーク経由で映像信号を送信し、離れた場所で映像を表示する仕組みが知られている（例えば、特許文献１参照）。
【先行技術文献】
【特許文献】
【０００３】
【特許文献１】特開２００２−０４９５５６号公報
【発明の概要】
【発明が解決しようとする課題】
【０００４】
しかしながら、ネットワークに接続された表示装置に遠隔操作で映像を表示する仕組みにおいては、複数のユーザ間で利用できる便利さがある反面、一方で利用できるユーザを制限したいというニーズがある。この場合、例えば、ＩＤ（identification）やパスワード等の認証情報による制限が考えられるが、これだと、認証情報を取得していればユーザの居場所に関係なく当該表示装置を利用できることとなって、不適切な場所にいるユーザの使用を排除できないという問題があった。
【０００５】
本発明の課題は、ネットワークに接続された表示装置に遠隔操作で映像を表示する際、不適切な場所にいるユーザによる映像の表示を制限できるようにすることである。
【課題を解決するための手段】
【０００６】
上記課題を解決するため、本発明に係る表示装置は、予め登録された位置情報を記憶する記憶手段と、端末装置から送信された位置情報を受信する受信手段と、前記受信手段により受信した位置情報と、前記記憶手段に記憶された位置情報と、を比較する比較手段と、前記比較手段による比較結果に基づいて表示情報を表示手段に表示させる制御手段と、を備える。
【０００７】
また、本発明に係る表示システムは、ネットワークを介して接続される端末装置と表示装置とを備えた表示システムであって、前記端末装置は、当該端末装置の現在位置を示す位置情報を取得する取得手段を備え、前記表示装置は、予め登録された位置情報を記憶する記憶手段と、前記端末装置から送信された位置情報を受信する受信手段と、前記受信手段により受信した位置情報と、前記記憶手段に記憶された位置情報と、を比較する比較手段と、前記比較手段による比較結果に基づいて表示情報を表示手段に表示させる制御手段と、を備える。
【０００８】
また、本発明に係るプログラムは、表示装置のコンピュータを、端末装置から送信された位置情報を受信する受信手段、前記受信手段により受信した位置情報と、予め登録された位置情報を記憶する記憶手段に記憶された位置情報と、を比較する比較手段、前記比較手段による比較結果に基づいて表示情報を表示手段に表示させる制御手段、として機能させるためのプログラムである。
【発明の効果】
【０００９】
本発明によれば、ネットワークに接続された表示装置に遠隔操作で映像を表示する際、不適切な場所にいるユーザによる映像の表示を制限できる。
【図面の簡単な説明】
【００１０】
【図１】本発明の表示システムを含むネットワークの構成を示す図である。
【図２】本発明の表示システムを構成する表示装置及び端末装置の主制御構成を示すブロック図である。
【図３】位置情報登録処理の流れについて説明するためのフローチャートである。
【図４】接続許可判断処理の流れについて説明するためのフローチャートである。
【発明を実施するための形態】
【００１１】
以下、添付図面を参照して本発明に係る実施の形態を詳細に説明する。ただし、以下に述べる実施の形態には、本発明を実施するために技術的に好ましい種々の限定が付されているが、発明の範囲を以下の実施の形態及び図示例に限定するものではない。
【００１２】
［構成］
図１は、本発明の実施の形態の表示システムを含むネットワークの構成を示す図である。
図１に示すように、ゲートウェイ装置１及びゲートウェイ装置２が、ネットワークＮを介して接続されている。
【００１３】
ゲートウェイ装置１には、無線ＬＡＮ（Local Area Network）アクセスポイント装置１０（以下、単に「アクセスポイント１０」と称する。）と、映像表示が可能な表示装置１００と、が接続されている。
また、アクセスポイント１０とほぼ同一の位置に、一乃至複数の無線端末装置３０（ここでは、無線端末装置３０ａ及び３０ｂ）が存在している。
【００１４】
ゲートウェイ装置２には、無線ＬＡＮアクセスポイント装置２０（以下、単に「アクセスポイント２０」と称する。）が接続されている。
また、アクセスポイント２０とほぼ同一の位置に、一乃至複数の無線端末装置３０（ここでは、無線端末装置３０ｃ及び３０ｄ）が存在している。
【００１５】
無線端末装置３０は、例えば、学校や事業所内のＷｉ−Ｆｉ（Wireless Fidelity）（登録商標）を用いた位置情報サービスや、無線中継局情報から、当該無線端末装置３０の現在位置を示す位置情報を取得可能であり、屋外においてＧＰＳ（Global Positioning System）やＷｉ−Ｆｉ接続サービスや無線中継局情報からも位置情報を取得可能である。
【００１６】
ネットワークＮは、ゲートウェイ装置１とゲートウェイ装置２とを接続するネットワークであり、例えばＩＥＥＥ８０２．１１規格で定められるＬＡＮである。
【００１７】
本発明の実施の形態の表示システム１０００は、表示装置１００及び無線端末装置３０を備えて構成されている。
図２は、表示システム１０００を構成する表示装置１００及び無線端末装置３０の主制御構成を示すブロック図である。
本実施の形態においては、表示装置１００としてデジタルサイネージ装置を例示して説明する。なお、表示装置１００としては、これ以外にも、例えば、映像をスクリーンや壁などに投影することにより表示するプロジェクタ、液晶ディスプレイやプラズマディスプレイ等の平面ディスプレイ等であっても良い。
また、無線端末装置３０は、例えば、携帯電話、スマートフォン、タブレット式端末などの携帯機器である。なお、本実施の形態における無線端末装置３０ａ〜３０ｄの基本的な構成は、全て同一である。
各装置は、例えばｈｔｔｐ（Hypertext Transfer Protocol）プロトコル或いはｈｔｔｐｓ(Hypertext Transfer Protocol Secure)プロトコルによる通信環境の元にデータ通信が行われる。なお、ｈｔｔｐプロトコルの通信をＳＳＬやＴＬＳで暗号化したｈｔｔｐｓプロトコルのほうが、通信方式としてはより好ましい。
【００１８】
表示装置１００は、画像の映像光を照射する投影部１１０と、投影部１１０から照射された映像光を背面で受けて前面に投影するスクリーン部１２０とを備えている。
【００１９】
投影部１１０は、画像や音声からなるコンテンツデータに基づいて各部を制御する制御部１１１と、制御部１１１に接続され、当該制御部１１１から出力された映像データを映像光に変換してスクリーン部１２０に向けて照射するプロジェクタ１１２と、各種プログラムや各コンテンツデータを記憶する記憶部１１３と、ゲートウェイ装置１と通信する通信部１１４と、ユーザによる操作を受け付ける操作部１１５と、を備えている。
【００２０】
スクリーン部１２０は、映像光の照射方向に対して略直交する透光板等により形成される映像表示部１２１と、スピーカ等の音声出力部１２２とを備えている。音声出力部１２２は、音声信号を伝送するために制御部１１１とケーブル等で接続されている。
【００２１】
制御部１１１は、各種のプログラムを実行して所定の演算や各部の制御を行うＣＰＵ（Central Processing Unit）とプログラム実行時の作業領域となるメモリとを備えている（いずれも図示省略）。
制御部１１１は、無線端末装置３０の位置情報を登録する登録作業をユーザが行った際に、無線端末装置３０から送信されてくる位置情報を記憶部１１３に記憶させる。かかる構成により、制御部１１１は、記憶部１１３と共に、記憶手段として機能している。
また、制御部１１１は、無線端末装置３０から送信される表示情報（映像信号）を受信するか否かを判断する接続許可判断処理を実行し、無線端末装置３０から表示情報の送信に先立って送信される位置情報を受信した際に、その受信した位置情報と、記憶部１１３に記憶された位置情報とを比較し、二つの位置情報がほぼ同一の位置を示すか否かを判定する。
そして、制御部１１１は、二つの位置情報がほぼ同一の位置を示すと判定された場合、表示情報を受信し、スクリーン部１２０に映像や音声を出力させる。かかる構成により、制御部１１１は、受信手段、比較手段、制御手段として機能している。
なお、「二つの位置情報がほぼ同一の位置を示す」とは、受信した位置情報の位置が、記憶部１１３に記憶された位置情報の位置からみて予め定められた所定範囲内にあることを示している。
【００２２】
記憶部１１３は、位置情報記憶部１１３Ａ、設定画面記憶部１１３Ｂ等を備えている。
位置情報記憶部１１３Ａは、ユーザが位置情報の登録作業を行った際に、無線端末装置３０から送信されてきた位置情報を登録して記憶する。
設定画面記憶部１１３Ｂは、位置情報の登録に際して、無線端末装置３０に送信する設定画面を記憶する。
なお、記憶部１１３には、設定画面をＷＥＢ（World Wide Web）画面上で動作させるＷＥＢサーバープログラム等も記憶されている。
【００２３】
操作部１１５は、例えば、制御部１１１に赤外線等で通信可能なリモコン、投影部１１０の本体に設けられた操作キー等である。
【００２４】
無線端末装置３０は、例えば、表示部３１、操作部３２、通信部３３、ＧＰＳ部３４、記憶部３５、及びこれらを制御する制御部３７等を備えている。
【００２５】
表示部３１は、例えば、液晶パネルや有機ＥＬ（Electro Luminescence）パネル等から構成されている。
【００２６】
操作部３２は、例えば、タッチパネルや、操作キー等である。
【００２７】
通信部３３は、例えば、Ｗｉ−Ｆｉ、３Ｇ（3rd Generation）、ＬＴＥ（Long Term Evolution）などの規格によりアクセスポイント１０やアクセスポイント２０と通信を行い、そのアクセスポイントの位置を示すアクセスポイント情報を取得する。
【００２８】
ＧＰＳ部３４は、ＧＰＳ衛星からの電波信号を受信し、当該信号に基づいて位置、移動方向、速度を計算することによって、無線端末装置３０の位置を測位して、その緯度経度を示すＧＰＳ情報を取得する。
【００２９】
記憶部３５には、表示装置１００との通信を行うためのアプリケーションが記憶されている。表示装置１００との通信を行うためのアプリケーションとしては、映像送信アプリ等が挙げられる。
また、記憶部３５には、通信部３３を介して取得したアクセスポイント情報やＧＰＳ部３４を介して取得したＧＰＳ情報が、位置情報として記憶される。
【００３０】
制御部３７は、ユーザ操作に応じて通信部３３やＧＰＳ部３４による位置情報の取得を行う。かかる構成により、制御部３７は、通信部３３やＧＰＳ部３４と共に、取得手段として機能している。
また、制御部３７は、無線端末装置３０の位置情報を表示装置１００に登録する登録作業をユーザが行う際に、ユーザ操作に応じて近くのアクセスポイント（アクセスポイント１０やアクセスポイント２０）との接続を行い、記憶部３５に記憶された位置情報の送信を実行する。
また、制御部３７は、映像送信アプリを起動し、表示装置１００に対して表示情報の送信を実行する。
【００３１】
［位置情報の登録処理］
図３は、表示装置１００に無線端末装置３０の位置情報を登録する際の登録処理の流れについて説明するためのフローチャートである。
ここでは、無線端末装置３０ａを用いて位置情報の登録を行うこととする。
本登録作業は、所定位置に設置された表示装置１００の近傍にて行われる。また、本登録作業は、本ネットワークを運用する管理者によって行われるものである。
また、この作業の前提として、ゲートウェイ装置１とアクセスポイント１０とが接続されている。
【００３２】
先ず、表示装置１００の制御部１１１は、ネットワーク管理者（以下、ユーザという）操作に応じて当該表示装置１００をゲートウェイ装置１と接続する（Ｓ１０１）。
次いで、無線端末装置３０ａの制御部３７は、ユーザ操作に応じて当該無線端末装置３０ａをアクセスポイント１０と接続する（Ｓ１０２）。
【００３３】
次いで、無線端末装置３０ａの制御部３７は、通信部３３を介してアクセスポイント情報を位置情報として取得する（Ｓ１０３）。
ここで、登録作業はスクリーン部１２０の設置場所の近傍にて行われているため、スクリーン部１２０の設置場所に対応する位置の位置情報が取得されることとなる。
取得された位置情報は、無線端末装置３０ａの記憶部３５に記憶される。
【００３４】
次いで、無線端末装置３０ａの制御部３７は、ユーザが、所定のＵＲＬ（Uniform Resource Locator）に接続することにより表示装置１００に位置情報を登録するための設定画面を表示する操作を実行すると、この設定画面の表示指示を検出し（Ｓ１０４）、表示装置１００に設定画面送信要求を送信する（Ｔ１０５）。
ここで、無線端末装置３０ａが表示装置１００の設定画面に接続するためには、ネットワーク管理者のアカウントとパスワードが必要である。
【００３５】
次いで、表示装置１００の制御部１１１は、無線端末装置３０ａから設定画面送信要求を受信すると、設定画面記憶部１１３Ｂに記憶された設定画面を読み出し、無線端末装置３０ａに設定画面を送信する（Ｔ１０６）。
【００３６】
次いで、無線端末装置３０ａの制御部３７は、表示装置１００から設定画面を受信すると、表示部３１に設定画面を表示する（Ｓ１０７）。
次いで、無線端末装置３０ａの制御部３７は、ユーザが、設定画面を用いて上記ステップＳ１０１にて取得した位置情報を登録するための操作を実行すると、この位置情報の登録指示を検出し（Ｓ１０８）、表示装置１００に位置情報を送信する（Ｔ１０９）。
【００３７】
次いで、表示装置１００の制御部１１１は、無線端末装置３０ａから位置情報を受信すると、位置情報記憶部１１３Ａにこれを記憶する（Ｓ１１０）。
【００３８】
このようにして、無線端末装置３０ａにより、表示装置１００の設置場所の位置情報が、表示装置１００に登録される。
また、上記登録作業に必要な設定画面へのアクセスはネットワーク管理者のみの権限であって一般の利用者による変更はできない構成である。
【００３９】
なお、図３の例では、無線端末装置３０ａの制御部３７は、通信部３３によりネットワークＮを介してアクセスポイント情報を位置情報として取得する構成を例示して説明したが、ＧＰＳ部３４を用いてＧＰＳ情報を位置情報として取得する構成としても良いし、外部のネットワークを用いて位置情報を取得する構成としても良い。
この際、ゲートウェイ装置１と無線端末装置３０ａとが接続されている場合には一旦この接続を解除し、ＧＰＳ部３４や外部のネットワークを用いて位置情報を取得した後、再び、ゲートウェイ装置１と無線端末装置３０ａとを接続する。
【００４０】
［接続許可判断処理］
図４は、表示装置１００に映像を表示する際、無線端末装置３０の接続を許可するか否かを判断する接続許可判断処理の流れについて説明するためのフローチャートである。
【００４１】
なお、本映像表示作業は、表示装置１００を利用する一般の利用者によって行われるものである。
また、この映像表示作業の前提として、上述した位置情報の登録作業がネットワーク管理者により実行され、表示装置１００には、映像表示を許可する位置の位置情報（表示装置１００の設置場所に対応する位置情報）が無線端末装置３０ａを用いて予め登録されている。
【００４２】
先ず、無線端末装置３０の制御部３７は、ユーザ操作に応じて当該無線端末装置３０をアクセスポイント（アクセスポイント１０やアクセスポイント２０）と接続する（Ｓ２０１）。
【００４３】
次いで、無線端末装置３０の制御部３７は、表示装置１００の利用者（以下、ユーザという）の操作に応じて、通信部３３を介して位置情報（アクセスポイント情報）を取得する（Ｓ２０２）。
取得された位置情報は、無線端末装置３０の記憶部３５に記憶される。
【００４４】
なお、ここでは、通信部３３を介して位置情報（アクセスポイント情報）を取得する構成を例示して説明したが、ＧＰＳ部３４を用いて位置情報（ＧＰＳ情報）を取得する構成としても良いし、外部のネットワークを用いて位置情報を取得する構成としても良い。この場合には、ＧＰＳ部３４や外部のネットワークを用いて位置情報を取得した後、無線端末装置３０とアクセスポイントとが接続される。
【００４５】
次いで、無線端末装置３０の制御部３７は、ユーザ操作に応じて映像送信アプリを起動し（Ｓ２０３）、表示装置１００にアカウント名、パスワード、及び上記ステップＳ２０１で取得した位置情報を送信する（Ｔ２０４）。
【００４６】
次いで、表示装置１００の制御部１１１は、無線端末装置３０からアカウント名、パスワード、及び位置情報を受信すると、アカウント名、パスワードによる接続確認を行う（Ｓ２０５）。なお、ここでアカウント名やパスワードが不正な場合には、無線端末装置３０にエラー情報を送信する。
【００４７】
次いで、表示装置１００の制御部１１１は、受信した位置情報と、位置情報記憶部１１３Ａに登録されている位置情報とを比較し、二つの位置情報が近接するか否かにより、二つの位置情報がほぼ同一の位置を示すか否かを判定する（Ｓ２０６）。
具体的には、受信した位置情報が、表示装置１００とほぼ同一の位置に在る無線端末装置３０ｂ等から送信されたものである場合、二つの位置情報が近接しており、ほぼ同一の位置を示すとの判定がなされることとなる。
一方、受信した位置情報が、表示装置１００と異なる位置に在る無線端末装置３０ｃ等から送信されたものである場合、二つの位置情報が近接せず、ほぼ同一の位置を示さないとの判定がなされることとなる。
【００４８】
次いで、表示装置１００の制御部１１１は、二つの位置情報がほぼ同一の位置を示すと判定すると、無線端末装置３０に受信許可を送信し、二つの位置情報がほぼ同一の位置を示さないと判定すると、無線端末装置３０に受信不許可を送信する（Ｔ２０７）。
【００４９】
次いで、無線端末装置３０の制御部３７は、表示装置１００から受信許可を受信すると映像送信を開始し、表示装置１００から受信不許可を受信すると映像送信を中止する（Ｓ２０８）。
【００５０】
この後、無線端末装置３０の制御部３７は、映像送信を開始した場合には、表示装置１００に映像信号を送信し、これに応じて表示装置１００の制御部１１１は、映像表示部１２１及び音声出力部１２２により、映像及び音声を出力する。
一方、無線端末装置３０の制御部３７は、映像送信を中止した場合には、表示部３１にエラーメッセージを表示する。
【００５１】
上記処理では、予め位置情報の登録を行った無線端末装置３０ａとほぼ同一の位置で無線端末装置３０ｂを接続する場合には、映像受信許可の判定を得ることとなる。
【００５２】
一方、予め位置情報を登録した無線端末装置３０ａとは異なる位置（例えば、同じ建物内の異なるフロア、異なるセクション、同じ事業所内の異なる建物など）で無線端末装置３０ｃを接続する場合には、映像受信不許可の判定を得ることとなる。
そして、無線端末装置３０ｃで受信許可を得るには、利用しようとする位置にあるアクセスポイント（ここではアクセスポイント２０）の周囲の無線端末装置（ここでは無線端末装置３０ｃや無線端末装置３０ｄ）で予め位置情報の登録作業をする必要がある。
このとき、位置情報の登録作業に必要な設定画面へのアクセスはネットワーク管理者のみの権限であって一般の利用者での変更はできない構成であるため、ネットワーク管理者の責任のもとに他の位置からの映像送信のアクセスを制限することができる。
【００５３】
以上のように、本実施の形態によれば、表示装置１００の制御部１１１は、予め登録された位置情報を記憶部１１３に記憶し、無線端末装置３０から送信された位置情報を受信し、受信した位置情報と記憶された位置情報とを比較し、二つの位置情報がほぼ同一の位置を示すか否かを判定し、二つの位置情報がほぼ同一の位置を示すと判定された場合、表示情報をスクリーン部１２０に表示させる。
このため、ネットワークＮに接続された表示装置１００に映像出力しようとする無線端末装置３０の位置情報を、映像送信アプリによる接続開始時に、予め登録してある位置情報と比較することにより、無線端末装置３０が該当位置（ほぼ同一の位置）の範囲内か否かの判定をすることができる。
よって、表示装置１００と映像送受信に成功したことのある無線端末装置３０でも、接続時のユーザの居場所が不適切な場合は接続不可となる。
また、階や建物の異なる別のフロアでも、事前に位置情報を、無線端末装置３０を用いてネットワーク管理者が登録しておけば接続可能である。
即ち、ネットワークＮに接続された表示装置１００に遠隔操作で映像を表示する際、不適切な場所にいるユーザによる映像の表示を制限できる。
【００５４】
また、本実施の形態によれば、表示装置１００の制御部１１１は、スクリーン部１２０の設置場所に対応する位置情報を予め登録された位置情報として記憶部１１３に記憶し、受信した位置情報と記憶された位置情報とを比較し、二つの位置情報が近接している場合は、当該二つの位置情報がほぼ同一の位置を示すと判定する。
このため、スクリーン部１２０の設置場所に対応する範囲に存在する無線端末装置３０のみ接続可能とすることができる。
【００５５】
また、本実施の形態によれば、表示装置１００の制御部１１１は、スクリーン部１２０の設置場所において無線端末装置３０から送信された位置情報を予め登録された位置情報として記憶部１１３に記憶する。
このため、スクリーン部１２０の設置場所に対応する範囲に存在する無線端末装置３０のみ接続可能とすることができる。
【００５６】
また、本実施の形態によれば、表示装置１００の制御部１１１は、二つの位置情報がほぼ同一の位置を示すと判定した場合、受信した位置情報を送信してきた無線端末装置３０から送信される表示情報を受信し、受信した表示情報をスクリーン部１２０に表示させる。
このため、ほぼ同一の位置の範囲内と判定された無線端末装置３０から受信した映像をスクリーン部１２０に表示させることができる。
【００５７】
なお、上記実施の形態においては、表示装置１００が１つの構成を例示して説明したが、例えば、ゲートウェイ装置２にも表示装置１００を接続したネットワーク構成であっても良い。このように表示装置１００が複数台ある環境においても、別の位置に設置された表示装置１００に映像を送信してしまうことを防止することができる。
【００５８】
また、上記実施の形態においては、位置情報の登録処理により、スクリーン部１２０の設置場所において無線端末装置３０から送信された位置情報を予め登録された位置情報として記憶部１１３に記憶させているが、位置情報は、ネットワーク管理者等の任意で所定の位置情報を記憶させることとしても良い。
【００５９】
また、上記実施の形態においては、無線端末装置３０は、通信部３３とＧＰＳ部３４を備えた構成を例示して説明したが、位置情報を取得可能な構成であれば、何れか一方のみを備えた構成としても良い。
【００６０】
また、上記実施の形態においては、無線端末装置３０から表示情報が送信される構成を例示して説明したが、表示情報を予め表示装置１００に記憶させておく構成としても良い。
この場合、表示装置１００に記憶させておく表示情報は、位置情報と対応づけられており、接続許可判断処理において二つの位置情報がほぼ同一の位置を示すと判定された場合、無線端末装置３０から送信された位置情報に対応する表示情報が読み出され、表示装置１００に表示される。
【００６１】
また、上記実施の形態においては、位置情報を登録する無線端末装置３０と、表示装置１００に映像を送信する無線端末装置３０とが異なる構成を例示して説明したが、同一の無線端末装置３０を用いることができるのは勿論である。
【００６２】
また、上記実施の形態においては、端末装置として無線端末装置３０を例示して説明したが、有線の端末装置を用いることも可能である。
【００６３】
また、上記実施の形態において、受信した位置情報と、記憶された位置情報と、を比較するが、この比較結果は、二つの位置情報がほぼ同一の位置を示すか否かには限らない。例えば、受信した位置情報の地点と記憶された位置情報の地点とを比較して単に一致するか否かを比較結果とする以外に、受信した位置情報と、記憶部１１３に記憶された位置情報と、に関連性があるかどうかを比較結果とすることも意味している。
即ち、受信した位置情報の地点が、記憶部１１３に記憶された位置情報の地点を中心とした予め定められた所定範囲内にあるかどうかを比較することや、それ以外にも、所定の地区、都市、地域、所定の緯度範囲内、所定の経度範囲内にあるかどうかの一致も含まれる。また、Ａ市と、Ａ市と同一県内に位置するＢ市とは、同一県内に位置するという意味で関連性があると判定できる。
【００６４】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
予め登録された位置情報を記憶する記憶手段と、
端末装置から送信された位置情報を受信する受信手段と、
前記受信手段により受信した位置情報と、前記記憶手段に記憶された位置情報と、を比較する比較手段と、
前記比較手段による比較結果に基づいて表示情報を表示手段に表示させる制御手段と、
を備える表示装置。
＜請求項２＞
前記記憶手段は、前記表示手段の設置場所に対応する位置情報を予め登録された位置情報として記憶し、
前記比較手段は、前記受信手段により受信した位置情報と、前記記憶手段に記憶された位置情報と、を比較し、二つの位置情報が近接している場合は、当該二つの位置情報が関連性を示すと判定する請求項１に記載の表示装置。
＜請求項３＞
前記記憶手段は、前記表示手段の設置場所において端末装置から送信された位置情報を予め登録された位置情報として記憶する請求項２に記載の表示装置。
＜請求項４＞
前記制御手段は、前記比較手段により前記二つの位置情報が関連性を示すと判定された場合、前記受信手段により受信した位置情報を送信してきた端末装置から送信される前記表示情報を受信し、受信した前記表示情報を前記表示手段に表示させる請求項２又は３に記載の表示装置。
＜請求項５＞
ネットワークを介して接続される端末装置と表示装置とを備えた表示システムであって、
前記端末装置は、
当該端末装置の現在位置を示す位置情報を取得する取得手段を備え、
前記表示装置は、
予め登録された位置情報を記憶する記憶手段と、
前記端末装置から送信された位置情報を受信する受信手段と、
前記受信手段により受信した位置情報と、前記記憶手段に記憶された位置情報と、を比較する比較手段と、
前記比較手段による比較結果に基づいて表示情報を表示手段に表示させる制御手段と、
を備える表示システム。
＜請求項６＞
表示装置のコンピュータを、
端末装置から送信された位置情報を受信する受信手段、
前記受信手段により受信した位置情報と、予め登録された位置情報を記憶する記憶手段に記憶された位置情報と、を比較する比較手段、
前記比較手段による比較結果に基づいて表示情報を表示手段に表示させる制御手段、
として機能させるためのプログラム。
【符号の説明】
【００６５】
１  ゲートウェイ装置
２  ゲートウェイ装置
１０  アクセスポイント装置
２０  アクセスポイント装置
３０、３０ａ、３０ｂ、３０ｃ、３０ｄ  無線端末装置（端末装置）
３１  表示部
３２  操作部
３３  通信部（取得手段）
３４  ＧＰＳ部（取得手段）
３５  記憶部
３７  制御部（取得手段）
１００  表示装置
１１０  投影部
１１１  制御部（記憶手段、受信手段、比較手段、制御手段）
１１２  プロジェクタ
１１３  記憶部（記憶手段）
１１３Ａ  位置情報記憶部
１１３Ｂ  設定画面記憶部
１１４  通信部
１１５  操作部
１２０  スクリーン部（表示手段）
１２１  映像表示部
１２２  音声出力部
１０００  表示システム
Ｎ  ネットワーク
【図１】
2015194698.tif 000003
【図２】
2015194698.tif 000004
【図３】
2015194698.tif 000005
【図４】
2015194698.tif 000006